(57)【特許請求の範囲】
【請求項１】
上部に吸込口が形成され、前面部下側に吹出口が形成されたケーシングと、
該ケーシング内に設けられ、前記吸込口から前記ケーシング内へ空気を吸い込み、前記吹出口から前記ケーシング外へ空気を吹き出す送風機と、
前記ケーシング内に設けられ、前記ケーシング内へ吸い込まれた空気と冷媒とを熱交換させる熱交換器と、
前記吹出口に設けられ、該吹出口から吹き出される空気の上下方向の向きを調整するルーバーと、
を備えた空気調和機の室内機であって、
前記ルーバーは、前記ケーシングの左右方向に沿った回転軸を中心として回転する板状部材の主ルーバー及び副ルーバーを有し、
風下側端部と風上側端部とを結ぶ仮想直線が水平となるように前記主ルーバーを配置した状態においては、
前記副ルーバーは、
前記主ルーバーよりも下方に配置され、
前記主ルーバーの風上側端部を通る仮想垂直線に対して、
風下側端部が前記主ルーバーの風上側端部よりも第１所定距離だけ前方に配置され、
風上側端部が前記主ルーバーの風上側端部よりも第２所定距離だけ後方に配置されるものであり、
側面視において、前記副ルーバーの幅は前記主ルーバーの幅よりも小さくなっていることを特徴とする空気調和機の室内機。
【請求項２】
上部に吸込口が形成され、前面部下側に吹出口が形成されたケーシングと、
該ケーシング内に設けられ、前記吸込口から前記ケーシング内へ空気を吸い込み、前記吹出口から前記ケーシング外へ空気を吹き出す送風機と、
前記ケーシング内に設けられ、前記ケーシング内へ吸い込まれた空気と冷媒とを熱交換させる熱交換器と、
前記吹出口に設けられ、該吹出口から吹き出される空気の上下方向の向きを調整するルーバーと、
を備えた空気調和機の室内機であって、
前記ルーバーは、前記ケーシングの左右方向に沿った回転軸を中心として回転する板状部材の主ルーバー及び副ルーバーを有し、
風下側端部と風上側端部とを結ぶ仮想直線が水平となるように前記主ルーバーを配置した状態においては、
前記副ルーバーは、
前記主ルーバーよりも下方に配置され、
前記主ルーバーの風上側端部を通る仮想垂直線に対して、
風下側端部が前記主ルーバーの風上側端部よりも第１所定距離だけ前方に配置され、
風上側端部が前記主ルーバーの風上側端部よりも第２所定距離だけ後方に配置されるものであり、
風下側端部と風上側端部とを結ぶ仮想直線が水平となるように前記副ルーバーを配置した状態においては、
前記吹出口の下側端部が、前記副ルーバーの風上側端部よりも第３所定距離だけ前方に配置されていることを特徴とする空気調和機の室内機。
【請求項３】
上部に吸込口が形成され、前面部下側に吹出口が形成されたケーシングと、
該ケーシング内に設けられ、前記吸込口から前記ケーシング内へ空気を吸い込み、前記吹出口から前記ケーシング外へ空気を吹き出す送風機と、
前記ケーシング内に設けられ、前記ケーシング内へ吸い込まれた空気と冷媒とを熱交換させる熱交換器と、
前記吹出口に設けられ、該吹出口から吹き出される空気の上下方向の向きを調整するルーバーと、
を備えた空気調和機の室内機であって、
前記ルーバーは、前記ケーシングの左右方向に沿った回転軸を中心として回転する板状部材の主ルーバー及び副ルーバーを有し、
風下側端部と風上側端部とを結ぶ仮想直線が水平となるように前記主ルーバーを配置した状態においては、
前記副ルーバーは、
前記主ルーバーよりも下方に配置され、
前記主ルーバーの風上側端部を通る仮想垂直線に対して、
風下側端部が前記主ルーバーの風上側端部よりも第１所定距離だけ前方に配置され、
風上側端部が前記主ルーバーの風上側端部よりも第２所定距離だけ後方に配置されるものであり、
前記主ルーバーと前記副ルーバーは、同一の回転軸で回転するように構成されており、
当該回転軸を中心として前記主ルーバー及び前記副ルーバーを回転させた際、
前記副ルーバーの風上側端部が前記吹出口の上面部に接触し、前記主ルーバー及び前記副ルーバーが前記吹出口を覆うことを特徴とする空気調和機の室内機。
【請求項４】
前記吹出口の上面部に突状のストッパーを備え、
前記副ルーバーの風上側端部は、該ストッパーに接触することを特徴とする請求項３に記載の空気調和機の室内機。
【請求項５】
前記送風機は軸流型又は斜流型のファンで構成され、これらファンは前記吸込口の下流側に並設されており、
前記熱交換器は、複数の前記ファンの下流側に配置されていることを特徴とする請求項１〜請求項４のいずれか一項に記載の空気調和機の室内機。
【請求項６】
請求項１〜請求項５のいずれか一項に記載の空気調和機の室内機を備えたことを特徴とする空気調和機。
【発明の詳細な説明】
【技術分野】
【０００１】
本発明は、空気調和機の室内機、及びこの室内機を備えた空気調和機に関する。
【背景技術】
【０００２】
従来の空気調和機の室内機には、室内機内に空調対象空間の空気を通すための送風機を軸流型又は斜流型のファンで構成した室内機が提案されている。このような空気調和機の室内機としては、例えば「室内機４０は、上部に吸込口２が形成され、前面部下側に吹出口３が形成されたケーシング１と、ケーシング１内の吸込口２の下流側に設けられた軸流型又は斜流型のファン４と、ケーシング１内のファン４の下流側であって、吹出口３の上流側に設けられ、ファン４から吹き出された空気と冷媒とが熱交換する熱交換器５と、を備えている」というものが提案されている（特許文献１参照）。また、従来の空気調和機の室内機には、その吹出口に、当該吹出口から吹き出される空気の上下方向の向きを調整するルーバー（なお、特許文献１ではベーンとして記載されている）も設けられている。
【先行技術文献】
【特許文献】
【０００３】
【特許文献１】ＷＯ２０１０／０８９９２０号公報（要約、段落［００１２］、図１）
【発明の概要】
【発明が解決しようとする課題】
【０００４】
特許文献１に記載のように、軸流型又は斜流型のファンは、吸込口の下流側であって熱交換器の上流側に設けられることとなる。また、軸流型又は斜流型のファンは、その送風方向（例えば軸流型ファンの場合、ファンの回転軸方向）がケーシング上部の吸込口と直交する姿勢で配置されることとなる。つまり、軸流型又は斜流型のファンを用いた従来の室内機においては、熱交換器を通過した後の空気、つまり吹出口に流入する空気は、ケーシングの上下方向に沿った流れとなりやすい。このため、軸流型又は斜流型のファンを用いた従来の室内機は、吹出口から吹き出される空気の上下方向の向きをルーバーによって調整しようとした場合、次のような課題があった。
【０００５】
つまり、吹出口に流入した空気の一部は、ルーバーの上面部にぶつかることにより、流れる向き（つまり、吹出口から吹き出される向き）が調整される。また、吹出口に流入した空気のうち、ルーバーの上面部にぶつからなかった空気は、ルーバーの上面部にぶつかった空気の流れや吹出口の下面部に沿った流れにより、ルーバーの下面部に引き寄せられるように流れる。このとき、軸流型又は斜流型のファンを用いた従来の室内機は、吹出口に流入する流れがケーシングの上下方向に沿った流れとなりやすいため、吹出口に流入する空気と吹出口から流出する空気との間で角度差が生じやすく、ルーバーの下面部を流れる空気が当該下面部から剥離しやすくなってしまう。このため、室内機が冷房運転する場合、ルーバーはその上面部にぶつかる冷たい空気（熱交換器で冷却された空気）で冷やされ、ルーバー下面部の当該剥離領域に滞留する空調対象空間の暖かい空気がルーバーを介して冷やされることとなり、ルーバーの下面部（特に剥離領域）に結露が発生しやすくなってしまう。したがって、軸流型又は斜流型のファンを用いた従来の室内機は、ルーバーの下面部に付着した露が結合して大きくなることにより、水滴が空調対象空間に吹き出されやすくなるという課題があった。
【０００６】
本発明は、上述のような課題を解決するためになされたものであり、冷房運転時に空調対象空間へ水滴が吹き出されることを抑制できる空気調和機の室内機、及びこの室内機を備えた空気調和機を得ることを目的とする。
【課題を解決するための手段】
【０００７】
本発明に係る空気調和機の室内機は、上部に吸込口が形成され、前面部下側に吹出口が形成されたケーシングと、該ケーシング内に設けられ、前記吸込口から前記ケーシング内へ空気を吸い込み、前記吹出口から前記ケーシング外へ空気を吹き出す送風機と、前記ケーシング内に設けられ、前記ケーシング内へ吸い込まれた空気と冷媒とを熱交換させる熱交換器と、前記吹出口に設けられ、該吹出口から吹き出される空気の上下方向の向きを調整するルーバーと、を備えた空気調和機の室内機であって、前記ルーバーは、前記ケーシングの左右方向に沿った回転軸を中心として回転する板状部材の主ルーバー及び副ルーバーを有し、風下側端部と風上側端部とを結ぶ仮想直線が水平となるように前記主ルーバーを配置した状態においては、前記副ルーバーは、前記主ルーバーよりも下方に配置され、前記主ルーバーの風上側端部を通る仮想垂直線に対して、風下側端部が前記主ルーバーの風上側端部よりも第１所定距離だけ前方に配置され、風上側端部が前記主ルーバーの風上側端部よりも第２所定距離だけ後方に配置されるものであり、側面視において、前記副ルーバーの幅は前記主ルーバーの幅よりも小さくなっているものである。
【０００８】
また、本発明に係る空気調和機は、上述の本発明に係る空気調和機の室内機を備えたものである。
【発明の効果】
【０００９】
本発明においては、ルーバーは、ケーシングの左右方向に沿った回転軸を中心として回転する板状部材の主ルーバー及び副ルーバーを有している。そして、風下側端部と風上側端部とを結ぶ仮想直線が水平となるように主ルーバーを配置した状態においては、副ルーバーは、主ルーバーよりも下方に配置され、主ルーバーの風上側端部を通る仮想垂直線に対して、風下側端部が主ルーバーの風上側端部よりも第１所定距離だけ前方に配置され、風上側端部が主ルーバーの風上側端部よりも第２所定距離だけ後方に配置されている。このため、吹出口に流入した空気のうち、主ルーバーの上面部にぶつからなかった空気は、副ルーバーの上面部にぶつかって、副ルーバーの上面部に沿った流れとなる。つまり、副ルーバーの上面部にぶつかった空気は、主ルーバーの下面部に引き寄せられ、主ルーバーの下面部に沿った流れとなる。このため、主ルーバーの下面部を流れる空気は、主ルーバーの下面部から剥離しづらくなる。このため、冷房運転時に主ルーバーの下面部に結露が発生することを抑制でき、空調対象空間へ水滴が吹き出されることを抑制できる。
【００１０】
なお、本発明の実施対象は、軸流型又は斜流型のファンを用いた室内機に限定されるものではない。つまり、本発明は、送風機の種類に限定されることなく、種々の種類の送風機を備えた室内機に実施することが可能なものである。
例えば、送風機をクロスフローファンで構成した室内機においては、クロスフローファンが熱交換器の下流側（つまり、熱交換器と吹出口の間）に設けられることとなる。このため、クロスフローファンを用いた室内機は、クロスフローファンの空気吹出し方向を斜めに傾けることにより、軸流型又は斜流型のファンを用いた室内機と比べ、吹出口に流入する空気の向きを吹出口からの吹き出し方向に傾けやすい。しかしながら、吹出口から吹き出される空気の方向は変化するため、クロスフローファンの空気吹出し方向と吹出口から空調対象空間へ吹き出される空気の方向を常に一致させることはできない。つまり、クロスフローファンを用いた室内機においても、吹出口に流入した空気の方向をルーバーによって変更することが必要である。このため、クロスフローファンを用いた室内機においても、ルーバーによる空気流れ方向の変更角度が大きくなった場合には、ルーバー下面部の流れが剥離し、冷房運転時にルーバー下面部に結露が生じてしまう。そして、ルーバーの下面部に付着した露が結合して大きくなることにより、水滴が空調対象空間に吹き出されてしまう。したがって、クロスフローファンを用いた室内機においても、本発明は非常に有効なものである。
【図面の簡単な説明】
【００１１】
【図１】本発明の実施の形態１に係る空気調和機の室内機を示す縦断面図である。
【図２】本発明の実施の形態１に係る空気調和機の室内機を示す外観斜視図である。
【図３】本発明の実施の形態１に係る空気調和機の室内機のルーバーを示す説明図である。
【図４】本発明の実施の形態１に係る空気調和機の室内機の吹出口近傍における空気流れを説明するための説明図である。
【図５】本発明の実施の形態１に係る空気調和機の室内機のルーバーにおける所定距離Ｌ４を設定する際の説明図である。
【図６】本発明の実施の形態２に係る空気調和機の室内機を示す縦断面図である。
【図７】本発明の実施の形態２に係る空気調和機の室内機の別の一例を示す縦断面図である。
【発明を実施するための形態】
【００１２】
実施の形態１．
以下、本発明に係る空気調和機（より詳しくは、空気調和機の室内機）の具体的な実施の形態１について説明する。なお、本実施の形態１では、壁掛け型の室内機を例に本発明を説明する。また、本実施の形態１では、軸流型又は斜流型のファンで送風機を構成した室内機を例に本発明を説明する。また、各図では、各ユニット（又は各ユニットの構成部材）の形状や大きさ等が一部異なる場合もある。
【００１３】
図１は、本発明の実施の形態１に係る空気調和機の室内機を示す縦断面図である。また、図２は、この室内機を示す外観斜視図である。また、図３は、この室内機のルーバーを示す説明図である。なお、図３（ａ）は、図１で示したルーバー１０の拡大図である。また、図３（ｂ）は、図３（ａ）に示すルーバー１０を上方から見た外観斜視図であり、図３（ｃ）は、図３（ａ）に示すルーバー１０を下方から見た外観斜視図である。
以下、図１〜図３に基づいて、室内機１００の構成について説明する。なお、本実施の形態１では、図１の左側を室内機１００の前面側として説明する。
【００１４】
室内機１００は、冷媒を循環させる冷凍サイクルを利用することで、室内等の空調対象空間に空調空気を供給するものである。室内機１００は、主に、室内空気を内部に吸い込むための吸込口２及び空調空気を空調対象空間に供給するための吹出口３が形成されているケーシング１と、このケーシング１内に収納され、吸込口２から室内空気を吸い込み、吹出口３から空調空気を吹き出すファン４と、ファン４から吹出口３までの風路に配設され、冷媒と室内空気とで熱交換することで空調空気を作り出す熱交換器５と、吹出口３から吹き出される空調空気の上下方向の向きを調整するルーバー１０と、を有している。吸込口２は、ケーシング１の上部に開口形成されている。吹出口３は、ケーシング１の下部（より詳しくは、ケーシング１の前面部下側）に開口形成されている。
【００１５】
ファン４は、吸込口２の下流側でかつ、熱交換器５の上流側に配設されており、例えば軸流型ファン又は斜流型ファンで構成されている。ここで、一般的に、空気調和機の室内機は設置スペースに制約があるため、ファンを大きくできないことが多い。このため、本実施の形態１では、所望の風量を得るために、適度な大きさのファン４を複数並列に配置している。より具体的には、本実施の形態１に係る室内機１００は、図２に示すように、ケーシング１の左右方向に沿って、３個のファン４が並設されている。
【００１６】
熱交換器５は、ファン４の風下側に配置されている。この熱交換器５は、断面形状が略Λ型となるように、ケーシング１内に配置されている。なお、熱交換器５の断面形状はあくまでも一例である。例えば、熱交換器５の断面形状を、略Ｍ型や略Ｎ型等に形成しても勿論よい。
【００１７】
ルーバー１０は、吹出口３に設けられており、主ルーバー１１及び副ルーバー１２を備えている。主ルーバー１１は、略平板形状をしており、その長手方向がケーシング１の左右方向に沿うように配置されている。副ルーバー１２も、主ルーバー１１と同様に、略平板形状をしており、その長手方向がケーシング１の左右方向に沿うように配置されている。これら主ルーバー１１及び副ルーバー１２は、左右方向の両端部がリブ１４によって接続されている。換言すると、本実施の形態１では、主ルーバー１１及び副ルーバーが一体で形成されている。また、本実施の形態１では、副ルーバー１２の幅Ｌ２は、主ルーバー１１の幅Ｌ１よりも小さく形成されている。
なお、主ルーバー１１及び副ルーバー１２は、側面断面視において若干反った形状となっていてもよい。
【００１８】
このように構成された主ルーバー１１及び副ルーバー１２は、次のような位置関係となっている。具体的には、図３に示すように、主ルーバー１１と副ルーバー１２とは、略平行に配置されている。例えば、主ルーバー１１及び副ルーバー１２が側面断面視において若干反った形状となっている場合、主ルーバー１１の風上側端部１１ａと風下側端部１１ｂとを結ぶ仮想直線と、副ルーバー１２の風上側端部１２ａと風下側端部１２ｂとを結ぶ仮想直線とが、略平行となっている。また、本実施の形態１では、主ルーバー１１と副ルーバー１２の所定距離Ｌ３を５ｍｍ〜１０ｍｍとしている。
【００１９】
また、風上側端部１１ａと風下側端部１１ｂとを結ぶ仮想直線が水平となるように主ルーバー１１を配置した場合、主ルーバー１１の風上側端部１１ａを通る仮想垂直線１１ｃに対して、副ルーバー１２の風下側端部１２ｂは、所定距離Ｌ４だけ前方に配置される。また、風上側端部１１ａと風下側端部１１ｂとを結ぶ仮想直線が水平となるように主ルーバー１１を配置した場合、主ルーバー１１の風上側端部１１ａを通る仮想垂直線１１ｃに対して、副ルーバー１２の風上側端部１２ａは、所定距離Ｌ５だけ後方に配置される。
また、本実施の形態１では、図１に示すように、風上側端部１１ａと風下側端部１１ｂとを結ぶ仮想直線が水平となるように主ルーバー１１を配置した場合、つまり、風上側端部１２ａと風下側端部１２ｂとを結ぶ仮想直線が水平となるように副ルーバー１２を配置した場合、副ルーバー１２の風上側端部１２ａを通る仮想垂直線１２ｃに対して、吹出口３の下面部３ｂの端部（下側端部）が所定距離Ｌ６だけ前方に配置されるように、吹出口３を形成している（図１参照）。
ここで、所定距離Ｌ４が本発明における第１所定距離に相当し、所定距離Ｌ５が本発明における第２所定距離に相当し、所定距離Ｌ６が本発明における第３所定距離に相当する。なお、これら所定距離Ｌ４，Ｌ５，Ｌ６の具体的な設定方法は、後述する動作説明において説明する。
【００２０】
また、ルーバー１０のリブ１４の外側には回転軸１３となる凸部が形成されており、これら凸部は、例えばケーシング１の側面部に回転自在に支持されている。つまり、これら主ルーバー１１及び副ルーバー１２は、図示しないモーター等によって、ケーシング１の左右方向に反った回転軸１３を中心に回転する構成となっている。
【００２１】
なお、本実施の形態１に係る室内機１００には、吹出口３に流入した空気を吹出口３の出口側へ導くため、吹出口３の上面部３ａに整流板６も設けられている。
【００２２】
（動作説明）
続いて、このように構成された室内機１００の動作について説明する。
ファン４が回転駆動することにより、吸込口２からケーシング１内へ室内空気が吸い込まれる。この室内空気は、ファン４から吹き出されて、下流側に配置された熱交換器５へ流入する。熱交換器５へ流入した室内空気は、冷房運転時には熱交換器５を流れる冷媒に冷却されて空調空気となり、暖房運転時には熱交換器５を流れる冷媒に加熱されて空調空気となり、吹出口３へ流れ込む。そして、吹出口３へ流入した空調空気は、ルーバー１０（つまり、主ルーバー１１及び副ルーバー１２）によって上下方向の向きを調整され、吹出口３から空調対象空間（つまり、ケーシング１外）へ吹き出される。このときの、吹出口３近傍の空気流れは、図４に示すようになる。
【００２３】
図４は、本発明の実施の形態１に係る空気調和機の室内機の吹出口近傍における空気流れを説明するための説明図である。なお、この図４は、図１と同じ切断面の断面図である。
軸流型又は斜流型のファン４は、その送風方向（例えば軸流型ファンの場合、ファンの回転軸方向）がケーシング１上部の吸込口２と直交する姿勢で配置されることとなる。このため、熱交換器５を通過した後の空調空気は、熱交換器５を通過する際に若干流れ方向が変化するものの、全体的にはケーシング１の上下方向に沿った流れとなりやすい。したがって、吹出口３に流入した空調空気は、整流板６によってその方向が吹出口３の出口側へ曲げられるものの、ルーバー１０の上流側においては、ケーシング１の上下方向に沿った流れに未だ近い状態となっている。このため、吹出口３に流入した空調空気は、次のように流れる。
【００２４】
つまり、吹出口３の上面部３ａ近傍に流入した空調空気は、整流板６によって吹出口３の出口側へ曲げられ、また、後述の空気流れ９Ｂによって押し上げられることにより、吹出口３の上面部３ａに沿って流れる（図４の空気流れ９Ａ）。空気流れ９Ａよりも後方で吹出口３に流入した空調空気の一部は、主ルーバー１１の上面部にぶつかり、主ルーバー１１の上面部に沿った流れとなる（図４の空気流れ９Ｂ）。空気流れ９Ｂよりも後方で吹出口３に流入した空調空気の一部は、主ルーバー１１の上面部にぶつかることなく流れることとなる。
【００２５】
このとき、この空気は、主ルーバー１１の下面部に沿った流れになろうとするが、この空気の流れと主ルーバー１１の方向（つまり、吹出口３から吹き出される空調空気の方向）に角度差が有る場合、主ルーバー１１の下面部から剥離してしまう。このため、室内機１００が冷房運転する場合、主ルーバー１１はその上面部にぶつかる冷たい空気で冷やされ、主ルーバー１１の下面部の剥離領域に滞留する暖かい室内空気が主ルーバー１１を介して冷やされることとなり主ルーバー１１の下面部（特に剥離領域）に結露が発生しやすくなってしまう。したがって、主ルーバー１１の下面部に付着した露が結合して大きくなると、水滴が室内に吹き出されてしまう。
【００２６】
しかしながら、本実施の形態１では副ルーバー１２を設けているため、主ルーバー１１の上面部にぶつからなかった空調空気の一部は、副ルーバー１２の上面部にぶつかって、副ルーバー１２の上面部に沿った流れとなる（図４の空気流れ９Ｃ）。つまり、副ルーバー１２の上面部にぶつかった空調空気は、主ルーバー１１と副ルーバー１２の間を流れて、主ルーバー１１の下面部に引き寄せられ、主ルーバー１１の下面部に沿った流れとなる。このため、主ルーバー１１の下面部を流れる空調空気は、主ルーバー１１の下面部から剥離しづらくなる。このため、冷房運転時に主ルーバー１１の下面部に結露が発生することを抑制でき、室内へ水滴が吹き出されることを抑制できる。このとき、主ルーバー１１と副ルーバー１２の所定距離Ｌ３を５ｍｍ〜１０ｍｍとしているので、主ルーバー１１と副ルーバー１２の間で剥離しづらくなり、主ルーバー１１と副ルーバー１２の間を流れる空調空気の圧力損失を低減できる。つまり、空気流れ９Ｃの風路となる主ルーバー１１と副ルーバー１２との間における風路抵抗を低減できる。
【００２７】
さらに、本実施の形態１では、副ルーバー１２の上面部にぶつからなかった空調空気の一部は、吹出口３の下面部３ｂにぶつかって、吹出口３の下面部３ｂに沿った流れとなる（図４の空気流れ９Ｄ）。つまり、吹出口３の下面部３ｂにぶつかった空調空気は、副ルーバー１２の下面部に引き寄せられ、副ルーバー１２の下面部に沿った流れとなる。このため、副ルーバー１２の下面部を流れる空調空気は、副ルーバー１２の下面部から剥離しづらくなる。このため、副ルーバー１２においても、冷房運転時にその下面部に結露が発生することを抑制でき、室内へ水滴が吹き出されることをより抑制できる。
【００２８】
なお、図５に示すように、ルーバー１０（つまり、主ルーバー１１及び副ルーバー１２）の角度が上下方向に近づくにつれて、所定距離Ｌ４が小さくなる。そして、ルーバー１０（つまり、主ルーバー１１及び副ルーバー１２）の角度がさらに上下方向に近づくと、所定距離Ｌ４が０より小さくなってしまう。つまり、側面視において、主ルーバー１１の風上側端部１１ａと副ルーバー１２の風下側端部１２ｂとが、前後方向において重なり合わなくなってしまう。一方、ルーバー１０（つまり、主ルーバー１１及び副ルーバー１２）の角度が上下方向に近づくにつれて、吹出口３に流入する空調空気と吹出口３から流出する空調空気との間の角度差が小さくなるので、主ルーバー１１の下面での剥離が発生しづらくなる。このため、本実施の形態１では、吹出口３に流入する空調空気の角度（例えば、ファン４が軸流型ファンの場合、ファンの回転軸方向）と主ルーバー１１の角度が、主ルーバー１１の下面部に発生する剥離領域の影響で室内へ水滴が噴き出される角度となるときに、所定距離Ｌ４が０以上となるようにしている。同様に、本実施の形態１では、吹出口３に流入する空調空気の角度（例えば、ファン４が軸流型ファンの場合、ファンの回転軸方向）と副ルーバー１２の角度が、副ルーバー１２の下面部に発生する剥離領域の影響で室内へ水滴が噴き出される角度となるときに、所定距離Ｌ６が０以上となるようにしている。また、所定距離Ｌ５は、所定距離Ｌ４と副ルーバー１２の幅Ｌ２とにより設定している。なお、本実施の形態１では、水平線と主ルーバー１１とのなす角度（図５に示すα）が５５°の状態のときに所定距離Ｌ４が０となるように、主ルーバー１１及び副ルーバー１２を配置している。換言すると、吹出口３に流入する空調空気の角度を垂直方向と想定し、垂直線と主ルーバー１１とのなす角度が３５°のときに所定距離Ｌ４が０となるように、主ルーバー１１及び副ルーバー１２を配置している。同様に、水平線と副ルーバー１２とのなす角度が５５°の状態のときに所定距離Ｌ６が０となるように、副ルーバー１２と吹出口３の下面部３ｂの端部とを配置している。換言すると、吹出口３に流入する空調空気の角度を垂直方向と想定し、垂直線と副ルーバー１２とのなす角度が３５°のときに所定距離Ｌ６が０となるように、副ルーバー１２と吹出口３の下面部３ｂの端部とを配置している。
【００２９】
以上、本実施の形態１のように構成された室内機１００においては、ルーバー１０を主ルーバー１１及び副ルーバー１２で構成している。そして、風上側端部１１ａと風下側端部１１ｂとを結ぶ仮想直線が水平となるように主ルーバー１１を配置した場合、主ルーバー１１の風上側端部１１ａを通る仮想垂直線１１ｃに対して、副ルーバー１２の風下側端部１２ｂが所定距離Ｌ３だけ前方に配置されている。このため、冷房運転時に主ルーバー１１の下面部に結露が発生することを抑制でき、室内へ水滴が吹き出されることを抑制できる。
【００３０】
また、副ルーバー１２の幅Ｌ２が主ルーバー１１の幅Ｌ１よりも小さくなっているので、副ルーバー１２の下面部に結露が発生した際でも、副ルーバー１２の下面部に付着した露が大きくなりづらく、室内へ水滴が吹き出されることをより抑制できる。
【００３１】
また、風上側端部１２ａと風下側端部１２ｂとを結ぶ仮想直線が水平となるように副ルーバー１２を配置した場合、副ルーバー１２の風上側端部１２ａを通る仮想垂直線１２ｃに対して、吹出口３の下面部３ｂの端部（下側端部）が所定距離Ｌ６だけ前方に配置されるように、吹出口３を形成している。このため、副ルーバー１２においても、冷房運転時にその下面部に結露が発生することを抑制でき、室内へ水滴が吹き出されることをより抑制できる。
【００３２】
また、吹出口３の上面部３ａに整流板６を設けているので、吹出口３に流入した空調空気が整流板６によって吹出口３の出口側へ曲げられるため、吹出口３に流入する空調空気と吹出口３から流出する空調空気との間の角度差が小さくなる。このため、冷房運転時に主ルーバー１１や副ルーバー１２の下面部に結露が発生することをより抑制でき、室内へ水滴が吹き出されることをより抑制できる。
【００３３】
なお、本実施の形態１では、主ルーバー１１の回転軸と副ルーバー１２の回転軸を同一の回転軸１３としたが、主ルーバー１１の回転軸と副ルーバー１２の回転軸を異なる回転軸としてもよい。つまり、主ルーバー１１の回転軸と副ルーバー１２の回転軸を異なる回転軸となっていても、上述の位置関係で主ルーバー１１及び副ルーバー１２が配置されていれば、本実施の形態１で示した効果を得ることができる。
【００３４】
また、本実施の形態１では、軸流型ファン又は斜流型ファンであるファン４を備えた室内機１００を例に本発明を説明したが、室内機に搭載されたファンの種類に関係なく本発明を実施できることは言うまでもない。つまり、ファンの種類に関係なく、ルーバーを備えた室内機は吹出口から吹き出される空気の方向を変更するため、ルーバーによる空気流れ方向の変更角度が大きくなった場合には、ルーバー下面部の流れが剥離し、冷房運転時にルーバー下面部に結露が生じてしまう。そして、ルーバーの下面部に付着した露が結合して大きくなることにより、水滴が空調対象空間に吹き出されてしまう。したがって、本発明は、ルーバーを備えた室内機全般において、室内へ水滴が吹き出されることを抑制する際に有効である。
【００３５】
実施の形態２．
従来より、意匠性を向上させる観点から、室内機が運転状態にない場合、ルーバーによって吹出口を塞ぐことがある。主ルーバー１１及び副ルーバー１２を備えた室内機１００においては、以下に示すように吹出口３を閉塞するとよい。なお、本実施の形態２において、特に記述しない項目については実施の形態１と同様とし、同一の機能や構成については同一の符号を用いて述べることとする。また、本実施の形態２でいう「塞ぐ」とは、ルーバーによって室内機の内部を隠すことを示し、ルーバーによって室内機の吹出口を完全に閉塞することを示すものではない。
【００３６】
実施の形態１で示した室内機１００においては、ルーバー１０を回転させて、吹出口３をルーバー１０で塞ぐこととなる。この場合、ルーバー１０の回転方向としては、ルーバー１０の風上側端部を吹出口３の下面部３ｂ側に回転させる回転方向が考えられる（以下、図１を参照し、この回転方向を時計回り方向という）。また、ルーバー１０の回転方向としては、ルーバー１０の風上側端部を吹出口３の上面部３ａ側に回転させる回転方向も考えられる（以下、図１を参照し、この回転方向を反時計回り方向という）。
【００３７】
ここで、ルーバー１０を時計回りに回転させる場合、副ルーバー１２の結露を抑制するために吹出口３の下側端部を前方に突出させた室内機１００においては、副ルーバー１２と吹出口３の下面部３ｂとが干渉し、吹出口３をルーバー１０で覆えないこともある。
【００３８】
一方、ルーバー１０を反時計回りに回転させて吹出口３を覆う場合、主ルーバー１１の下側からケーシング１内を見えなくなるようにするためには、主ルーバー１１の風上側端部１１ａを吹出口３の上端部よりも前方に配置することが必要な場合もある。このような場合、主ルーバー１１の風上側端部１１ａは、吹出口３の上端部の下方を一端通過して、吹出口３の上端部よりも前方に配置されることとなる。このため、主ルーバー１１の風上側端部１１ａと吹出口３の上面部３ａとが干渉しないように考慮する必要があり、主ルーバー１１の風上側端部１１ａと吹出口３の上端部との間の隙間が大きくなってしまうことがある。したがって、このような場合、当該隙間からケーシング１内が見えてしまい、意匠性が悪くなってしまうことがある。
そこで、本実施の形態２では、次のようにして吹出口３をルーバー１０で覆い、意匠性を向上させている。
【００３９】
図６は、本発明の実施の形態２に係る空気調和機の室内機を示す縦断面図である。
図６に示すように、本実施の形態２に係る室内機１００は、ルーバー１０を反時計回りに回転させて、吹出口３を覆うように構成している。また、主ルーバー１１の風上側端部１１ａと吹出口３の上面部３ａとが干渉しないよう、主ルーバー１１の風上側端部１１ａと吹出口３の上端部が対向したときに、両者の間に隙間が形成されるようにしている。そして、主ルーバー１１及び副ルーバー１２が同一の回転軸１３で回転するように構成している。このため、ルーバー１０を反時計回りに回転させた際、回転軸１３を中心として、副ルーバー１２の風上側端部１２ａが主ルーバー１１の風上側端部１１ａよりも外周側を回転することとなり、副ルーバー１２の風上側端部１２ａが吹出口３の上面部３ａに接触することとなる。これにより、主ルーバー１１の風上側端部１１ａと吹出口３の上端部との間の隙間を副ルーバー１２で覆うことができるので、室内機が運転状態にない状態においては、見栄え良くルーバー１０で吹出口３を覆うことができる。したがって、本実施の形態２のように構成した室内機１００は、室内機１００が運転状態にない状態の意匠性を向上させることができる。
【００４０】
なお、図６では、副ルーバー１２の風上側端部１２ａを吹出口３の上面部３ａに直接接触させてルーバー１０を停止させたが、図７に示すように、吹出口３の上面部３ａに突状のストッパー７を設け、当該ストッパー７に副ルーバー１２の風上側端部１２ａを接触させてルーバー１０を停止させてもよい。なぜならば、副ルーバー１２の風上側端部１２ａを吹出口３の上面部３ａに直接接触させてルーバー１０を停止させた場合、副ルーバー１２の風上側端部１２ａと吹出口３の上面部３ａとは線接触になるため、各部品の寸法誤差や組み立て誤差等によって両者の接触箇所が異なってくる。このため、副ルーバー１２の風上側端部１２ａを吹出口３の上面部３ａに直接接触させてルーバー１０を停止させた場合、各室内機１００毎にルーバー１０（主ルーバー１１及び副ルーバー１２）の停止位置が異なることがある。
【００４１】
一方、副ルーバー１２の風上側端部１２ａをストッパー７に接触させてルーバー１０を停止させた場合、副ルーバー１２の風上側端部１２ａとストッパー７とは点接触になる。このため、各部品の寸法誤差や組み立て誤差等によるルーバー１０（主ルーバー１１及び副ルーバー１２）の停止位置のバラツキを低減することができる。したがって、副ルーバー１２の風上側端部１２ａをストッパー７に接触させてルーバー１０を停止させることにより、室内機１００が運転状態にない状態の意匠性をさらに向上させることができる。
【符号の説明】
【００４２】
１  ケーシング、２  吸込口、３  吹出口、３ａ  上面部、３ｂ  下面部、４  ファン、５  熱交換器、６  整流板、７  ストッパー、１０  ルーバー、１１  主ルーバー、１１ａ  風上側端部、１１ｂ  風下側端部、１１ｃ  仮想垂直線、１２  副ルーバー、１２ａ  風上側端部、１２ｂ  風下側端部、１２ｃ  仮想垂直線、１３  回転軸、１４  リブ、１００  室内機。
【図１】
0005518013.tif 000002
【図２】
0005518013.tif 000003
【図３】
0005518013.tif 000004
【図４】
0005518013.tif 000005
【図５】
0005518013.tif 000006
【図６】
0005518013.tif 000007
【図７】
0005518013.tif 000008